(57)【要約】【課題】衣服のデザインが限定されることなく、かつ、着用者が不快感を感じることなく、外から乳房が透けて見えることを防止する。【解決手段】前身頃９３Ａのうち着用者の胸部に対応する胸部対応部の内側に、胸当て部１０が設けられている。胸当て部１０は、可撓性を有するとともに弾性的に伸縮可能な布材によって形成され、自然状態における基本的姿勢において前方に１つの凸状に形成されており、胸部対応部に対して少なくともほぼ沿った状態とされている。胸当て部１０の下縁部は、ゴム紐１８によって弾性的に縮められている。【選択図】図１
2014189927.tif 000002
【特許請求の範囲】
【請求項１】
女性の少なくとも上半身に対応する衣服であって、
その前身頃のうち着用者の胸部に対応する胸部対応部の内側に胸当て部が設けられ、
その胸当て部は、可撓性を有するとともに弾性的に伸縮可能な布材によって形成され、その自然状態における基本的姿勢において前方に凸状に形成されており、前記胸部対応部に対して少なくともほぼ沿った状態とされている、
女性用衣服。
【請求項２】
請求項１に記載の女性用衣服であって、
前記胸当て部は、その自然状態における基本的姿勢において、１つの凸状に形成されている、
女性用衣服。
【請求項３】
請求項１又は請求項２に記載の女性用衣服であって、
前記胸当て部は、
可撓性を有するとともに弾性的に伸縮可能な複数枚の布材が重ね合わされて形成され、
そのうちの最も内側の布材よりも、他の布材は小さなものである、
女性用の衣服。
【請求項４】
請求項１〜請求項３のいずれかに記載の女性用の衣服であって、
前記胸当て部の下縁部にはゴム紐が取り付けられ、当該下縁部は当該ゴム紐によって引っ張られることによって弾性的に縮められている、
女性用の衣服。
【発明の詳細な説明】
【技術分野】
【０００１】
この発明は、女性用の上衣部を含む衣服に関するものである。
【背景技術】
【０００２】
ブラジャーは、一般的に、一対のカップ部と、バックストラップ（背部ベルト）と、一対のショルダーストラップ（肩紐）を有している。
そして、各カップ部の内部に着用者の各乳房が収容されるとともに、背部ベルトが両カップ部とともに着用者の上半身を一巡し、各肩紐が着用者の肩に掛け渡されることによって、ブラジャーは着用者の胸部に対して装着される。
こうして、女性のバスト形状が整えられるとともに、乳房（特に乳首）が衣服の外から透けて見えることが防止される。
【０００３】
しかしながら、ブラジャーの着用中においては、各カップ部（そのうちの全体又は大半）が着用者の各乳房に対して少なくともほぼ密着する（圧迫する場合もある）とともに、カップ部とともに背部ベルトが上半身を一巡して締め付け、肩紐が肩を圧迫し、着用者は不快感を感じる。
このため、女性の中には、自宅ではブラジャーを着用しない人もいる。
しかしながら、それでは、衣服によっては、その衣服の外から乳房が透けて見えてしまう場合もある。その場合は、急な来客に応対する際に不都合がある。また、ゴミ出し等、自宅のごく近くに外出するだけのためにもブラジャーを着用したり、上着を着用したりする必要があり、煩雑である。
【０００４】
このことを解決しようとして、先行技術として、特許文献１〜３が存在している。
特許文献１には、胸部にフリルが設けられた衣服が開示されている。特許文献２には、胸部にポケットが設けられた衣服が開示されている。
しかしながら、いずれもブラジャーを着用しなくても済むという効果はあるにしても、衣服のデザインが限定されてしまう、という欠点がある。
また、特許文献３には、バストカップを内装するポケットが設けられた衣服が開示されている。
しかしながら、この衣服は、バストカップを有しており、バスト形状を整えることが可能である一方、乳房を圧迫するため、着用者は不快感を感じる。
【先行技術文献】
【特許文献】
【０００５】
【特許文献１】特開２００９−０８４７５５号公報
【特許文献２】実用新案登録第３１０８６０４号公報
【特許文献３】特開２００５−３０７３９０号公報
【発明の概要】
【発明が解決しようとする課題】
【０００６】
本発明は、衣服のデザインが限定されることなく、かつ、着用者が不快感を感じることなく、外から乳房が透けて見えることを防止することができる衣服を提供することを課題とする。
【課題を解決するための手段】
【０００７】
この課題を解決するために、請求項１に係る発明は、女性の少なくとも上半身に対応する衣服であって、その前身頃のうち着用者の胸部に対応する胸部対応部の内側に胸当て部が設けられ、その胸当て部は、可撓性を有するとともに弾性的に伸縮可能な布材によって形成され、その自然状態における基本的姿勢において前方に凸状に形成されており、前記胸部対応部に対して少なくともほぼ沿った状態とされている、女性用衣服である。
【０００８】
「少なくとも上半身に対応する衣服」とは、上半身のみに対応する衣服（いわゆる「上衣」）、及び、全身に対応する衣服（いわゆる「ワンピース」）を含むものである。
「自然状態」とは、弾性的に伸縮していない状態のことをいう。「基本的姿勢」とは、胸当て部が可撓性を有するところ、変形（撓み）が生じていない本来的な姿勢のことをいう。
【０００９】
この発明の女性用衣服では、胸当て部が前身頃のうち胸部対応部に対して少なくともほぼ沿った状態であるため、原則として、胸当て部（正確には、そのうちの着用者の乳房に該当する部分）に着用者の乳房が少なくとも密着状態で収容されるわけではない（「原則として」とは、前身頃自体が一対のカップ状をなす、というような特殊な場合を除く意味である）。
このため、着用者の乳房のうちの乳首及びその近傍が胸当て部に当接するとしても、胸当て部が、ブラジャーの各カップ部のように着用者の乳房に対してその広範囲にわたって密着する（さらには乳房を圧迫する）、ということがなく、着用者が不快感を感じることが防止される。
【００１０】
また、この発明の女性用衣服では、胸当て部が前身頃に設けられているものであるため、着用者の上半身が一巡されて締め付けられたり、肩が圧迫されたりすることがない。このことからも、着用者が不快感を感じることが防止される。
【００１１】
また、胸当て部は、可撓性を有するとともに弾性的に伸縮可能な布材によって形成されており、かつ、その自然状態における基本的姿勢において前方に凸状に形成されているため、着用者の乳房によって前身頃が前方に凸状に変形しようとしたり、凸状に膨らもうとしたりする際（前身頃が伸縮性を有している場合）や、前身頃が本来的に前方に凸状に形成されている場合に、胸当て部も、前身頃とともに、円滑に、前方に凸状に膨らんだ状態となる。このため、乳房に対して、押しつぶす方向に押圧力が加わることが防止又は低減され、着用者の着心地が良いものとなる。
【００１２】
そして、この発明の女性用衣服では、着用者の胸部は、前身頃とともに胸当て部によって覆われる。このため、外部から着用者の乳房が透けて見えることが防止される（なお、「防止」には「低減」も含まれるものとする）。
【００１３】
また、この発明の女性用衣服では、前身頃（その胸部対応部）の内側に胸当て部が設けられるものであるため、衣服としてのデザイン（外観）が限定されることはない。
【００１４】
請求項２に係る発明は、請求項１に係る発明の女性用衣服であって、前記胸当て部は、その自然状態における基本的姿勢において、１つの凸状に形成されている、女性用衣服である。
【００１５】
「１つの凸状に」とは、「着用者の一対の乳房に対応して、両乳房にわたって１つの凸状に」という意味である。
【００１６】
この発明の女性用衣服では、請求項１に係る発明の女性用衣服の作用効果に加えて、次の作用効果が得られる。
すなわち、請求項１に係る発明の女性用衣服では、着用者の乳房に基づいて胸当て部も前身頃とともに円滑に前方に凸状に膨らんだ状態となるのであるが、その際においても、この発明の女性用衣服では、胸当て部が、その自然状態における基本的姿勢において前方に１つの凸状に形成されているため、着用者の一対の乳房の間には隙間が生じる。
このため、着用者の乳房のうちの乳首及びその近傍が胸当て部に当接するとしても、胸当て部が、ブラジャーの各カップ部のように着用者の乳房に対してその広範囲にわたって密着する（さらには乳房を圧迫する）、ということがより有効に防止され、着用者が不快感を感じることがより有効に防止される。
【００１７】
請求項３に係る発明は、請求項１又は請求項２に係る発明の女性用衣服であって、前記胸当て部は、可撓性を有するとともに弾性的に伸縮可能な複数枚の布材が重ね合わされて形成され、そのうちの最も内側の布材よりも、他の布材は小さなものである、女性用の衣服である。
【００１８】
この発明の女性用衣服では、請求項１又は請求項２に係る発明の女性用衣服の作用効果に加えて、次の作用効果が得られる。
すなわち、この女性用衣服では、胸当て部が複数枚の布材が重ね合わされて形成されているため、外部から着用者の乳房が透けて見えることがより有効に防止される。
【００１９】
一方、複数枚の布材のうち、最も内側の布材よりも、他の布材は小さいものであるため、最も内側の布材に対して他の布材が重ならない部分が存在する。これによって、通気性が損なわれることが低減され、着用者の着心地が悪化することが防止される。
また、逆にいうと、他の布材よりも大きな布材が最も内側の布材であるため、基本的に、大きさが異なる布材が重ね合わされることによって生じる段差は、胸当て部の内側においては生じない。このため、その点でも着用者の着心地が悪化することが防止される。
【００２０】
請求項４に係る発明は、請求項１〜請求項３のいずれかに係る発明の女性用の衣服であって、前記胸当て部の下縁部にはゴム紐が取り付けられ、当該下縁部は当該ゴム紐によって引っ張られることによって弾性的に縮められている、女性用の衣服である。
【００２１】
この発明の女性用衣服では、請求項１〜請求項３のいずれかに係る発明の女性用衣服の作用効果に加えて、次の作用効果が得られる。
すなわち、この女性用衣服では、胸当て部の下縁部にはゴム紐が取り付けられ、当該下縁部はゴム紐によって引っ張られ弾性的に縮められているため、着用者の姿勢等に基づいて、胸当て部が着用者に対して相対的に上昇しようとする際においても、この胸当て部の下縁部が乳房に当接する場合があり、その場合には胸当て部が相対的に上昇することが防止される。こうして、この胸当て部は安定的に着用者の胸部を覆うこととなり、その点でも着用者の着心地が良いものとされる。
【図面の簡単な説明】
【００２２】
【図１】本発明の一実施例のＴシャツを示す正面図である。
【図２】本発明の一実施例のＴシャツの胸当て部を示す斜視図である。
【図３】本発明の一実施例のＴシャツの胸当て部を示す分解斜視図（一部破断）である。
【図４】本発明の一実施例のＴシャツの胸当て部を形成する各布材を形成するための各原布材を示す正面図である。（ａ）は原メイン布材を示し、（ｂ）は原サブ布材を示す。
【図５】本発明の一実施例のＴシャツの使用状態を示す縦断面図である。
【発明を実施するための形態】
【００２３】
次に、本発明の一実施例の女性用衣服であるＴシャツについて、図面に基づいて説明する。
図１に示すように、このＴシャツは、胸当て部１０がＴシャツ本体９０に対して取り付けられて形成されている。
【００２４】
Ｔシャツ本体９０は、一般的なＴシャツと同様に、木綿等の布材によって形成されており、可撓性を有するとともに、弾性的に伸縮可能である。
Ｔシャツ本体９０は、身頃９２と、一対の袖９４を有している。身頃９２は、着用者の胴部に対応して筒状をなしている。袖９４は、同じく着用者の腕部に対応して筒状をなしている。
身頃９２は、前身頃９３Ａと後身頃９３Ｂとが縫い付けられて形成されている。
前身頃９３Ａのうち、着用者の胸部に対応する部分が胸部対応部（符号省略）である。前身頃９３Ａの大半部分（胸部対応部を含む）は、その自然状態における基本的姿勢において、鉛直な平面状をしている。
【００２５】
胸当て部１０は、前身頃９３Ａのうちの胸部対応部の内側に縫い付けられている。すなわち、胸当て部１０は、着用者の胸部を一巡するものではなく、着用者の前側の部分にのみ対応している。
【００２６】
図２及び図３に示すように、胸当て部１０は、３枚の布材（２０，６０Ａ，６０Ｂ）によって形成されている。最も内側の布材がメイン布材２０であり、その他の２枚の布材がサブ布材６０Ａ，６０Ｂである。それらは縫い付けられて結合されている。
メイン布材２０，２枚のサブ布材６０Ａ，６０Ｂとも、可撓性を有するとともに弾性的に伸縮可能であり、左右対称の形状を有している。
このため、胸当て部１０も、可撓性を有するとともに弾性的に伸縮可能であり、左右対称の形状を有している。
【００２７】
メイン布材２０は、十分な余裕をもって着用者（女性）の乳房を十分覆うことが可能な大きさを有している。
一方、２枚のサブ布材６０Ａ，６０Ｂは同一の大きさ及び形状を有しており、ともに、メイン布材２０よりも小さいものであり、着用者の乳首を含む乳房の大半又は全てを覆う大きさを有している。
【００２８】
メイン布材２０も２枚のサブ布材６０Ａ，６０Ｂも、立体裁断に基づいて、本来的に立体的に形成されており、前方にわずかに凸状に形成されている。
こうして、胸当て部１０は、その自然状態における基本的姿勢（鉛直状態）において、前方にわずかに凸状に膨らんでいる。
ここで、この胸当て部１０は１つの凸状に膨らんでいるのであって（すなわち、２つの乳房全体に対応して１つの凸部を有しており）、各乳房に対応して２つの凸部を有しているわけではない。
なお、胸当て部１０（メイン布材２０・サブ布材６０Ａ，６０Ｂ）は可撓性を有するとともに、その凸状の度合いもわずかなものであるため（これらのことは前述）、図１に示すように、胸当て部１０がＴシャツ本体９０の前身頃９３Ａの胸部対応部（鉛直な平面状の自然状態における基本的姿勢）に取り付けられた状態では、その鉛直な平面状の胸部対応部に沿って、胸当て部１０も鉛直なほぼ平面状となる。
【００２９】
また、図２及び図３に示すように、メイン布材２０の下縁部には、ゴム紐１８が取り付けられている。メイン布材２０（折り曲げ前）の下縁部の近傍は、折り曲げ線（符号省略）に沿って外側方向に折り曲げられ、その２重になった部分の間にゴム紐１８が挿入され、ゴム紐１８とともに、メイン布材２０の下縁部（折り曲げ状態における下縁部、すなわち、前述の折り曲げ線）の近傍（２重になっている部分）が縫い付けられている。  
ゴム紐１８の自然状態の長さは、メイン布材２０の自然状態の下縁部の長さよりも短い。このため、メイン布材２０（胸当て部１０）の下縁部は、ゴム紐１８によって引っ張られることによって弾性的に縮められている。
【００３０】
次に、メイン布材２０及びサブ布材６０Ａ，６０Ｂの立体裁断の詳細について、図４に基づいて説明する。
なお、図２及び図３に基づいて前述したように、胸当て部１０（メイン布材２０・２枚のサブ布材６０Ａ，６０Ｂとも）は左右対称の形状を有しているため、中心線を基準に左側（着用者を基準に左側であり、向かって右側）についてのみ説明する。
【００３１】
メイン布材２０（図３）は、原メイン布材３０（図４（ａ））が立体裁断され縫い付けられて形成されている。なお、「立体裁断」には、立体裁断に基づく型紙に沿って平面状の原布材を裁断することを含むものとする（以下同様である）。
図４（ａ）に示すように、原メイン布材３０の形状は、次のとおりである。
原メイン布材３０の上縁部のうちの中央側（中心線Ｃ１の側）の部分（その線をメイン上縁中央線３１Ａということとする）は、中心線Ｃ１よりも右側の部分（図４（ａ）において図示なし）とともに、下方に凹状に湾曲しつつ水平にのびており、それよりも左側の部分（その線をメイン上縁左側線３１Ｂということとする）は、左方向に向かうにつれて徐々に下方に向かうように、水平を基準にやや傾斜している（その線全体をメイン上縁線３１ということとする）。
原メイン布材３０の下縁部は水平に直線状に延びている（その線をメイン下縁線３２ということとする）。
原メイン布材３０の左上縁部は、右下方向に凹状に湾曲しつつ、左方向に向かうとともに下方に向かうように斜めに延びている（その線をメイン左上縁線３３ということとする）。
原メイン布材３０の左縁部は、鉛直に直線状に延びている（その線をメイン左縁線３４ということとする）。
【００３２】
上述の形状の原メイン布材３０が、２本の裁断線（メイン第１裁断線４１，メイン第２裁断線４２）に沿って裁断される。
メイン第１裁断線４１は、頂点形成点３５から、直線状に垂直に下方に延びてメイン下縁線３２に至るとともに、右上方向にわずかに凸状に湾曲しつつ、頂点形成点３５から左方向に向かうとともに上方に向かうように斜めに延びて、メイン左上縁線３３のうちのメイン上縁線３１との境界の近傍に至っている。
メイン第２裁断線４２は、原メイン布材３０の下縁線においてメイン第１裁断線４１の下端よりもやや左側から、右上方向に凸状に湾曲しつつ、左方向に向かうとともに上方に向かうように斜めに延びて、メイン左上縁線３３のほぼ中央（やや右上）に至っている。
原メイン布材３０が上述のように裁断されることによって、第１分割メイン布材２１，第２分割メイン布材２２，第３分割メイン布材２３が形成されている。
【００３３】
第１分割メイン布材２１と第２分割メイン布材２２とは、メイン第１裁断線４１を基準に所定の縫い代を取った状態で（いずれの縫い代も外側に向かう）、各々のメイン第１裁断線４１の近傍の縫い付け線４１ａ，４１ｂにおいて縫い付けられている。
第２分割メイン布材２２と第３分割メイン布材２３とは、メイン第２裁断線４２を基準に所定の縫い代を取った状態で（いずれの縫い代も外側に向かう）、各々のメイン第２裁断線４２の近傍の縫い付け線４２ａ，４２ｂにおいて縫い付けられている。
こうして、図３に示すように、メイン布材２０が形成されており、前述したように、メイン布材２０は、頂点２５を中心として、わずかに前方に凸状に膨らんでいる。
【００３４】
２枚のサブ布材６０Ａ，６０Ｂ（図３）は、各々、原サブ布材７０（図４（ｂ））が立体裁断され縫い付けられて形成されている。
図４（ｂ）に示すように、各原サブ布材７０は原メイン布材３０よりも小さく、その形状は、次のとおりである。
原サブ布材７０の上縁部は、上方に凸状に湾曲しつつ、左方向に向かうにつれて上方に向かうようにやや斜めに延びており（その線をサブ上縁線７１ということとする）、サブ上縁線７１は、メイン上縁線３１よりも低い位置にある。
原サブ布材７０の下縁部は水平に直線状に延びている（その線をサブ下縁線７２ということとする）。サブ下縁線７２は、メイン下縁線３２よりも高い位置にある。
原サブ布材７０の左上縁部は、右下方向に凹状に湾曲しつつ、左方向に向かうとともに下方に向かうように斜めに延びている（その線をサブ左上縁線７３ということとする）。サブ左上縁線７３は、メイン左上縁線３３の大半部分と一致している。
原サブ布材７０の左縁部は、左下方向に凸状に湾曲しつつ、右方向に向かうとともに下方に向かうように斜めに延びている（その線をサブ左上縁線７４ということとする）。サブ左上縁線７４は、メイン左縁線３４よりも中央側（中心線Ｃ２の側）の位置にある。
【００３５】
上述の形状の原サブ布材７０が、２本の裁断線（サブ第１裁断線８１，サブ第２裁断線８２）に沿って裁断される。サブ第１裁断線８１は、メイン第１裁断線４１の大半部分と一致しており、サブ第２裁断線８２は、メイン第２裁断線４２の大半部分と一致している。
サブ第１裁断線８１は、頂点形成点７５から、直線状に垂直に下方に延びてサブ下縁線７２に至るとともに、右上方向にわずかに凸状に湾曲しつつ、頂点形成点７５から左方向に向かうとともに上方に向かうように斜めに延びて、サブ上縁線７１とサブ左上縁線７３との境界に至っている。
サブ第２裁断線８２は、原サブ布材７０の下縁部においてサブ第１裁断線８１の下端よりもやや左側から、右上方向に凸状に湾曲しつつ、左方向に向かうとともに上方に向かうように斜めに延びて、サブ左上縁線７３のほぼ中央（やや右上）に至っている。
２枚の原サブ布材７０が上述のように裁断されることによって、それぞれ、第１分割サブ布材６１，第２分割サブ布材６２，第３分割サブ布材６３が形成されている。
【００３６】
２枚の原サブ布材７０から形成されたそれぞれ２枚の第１分割サブ布材６１と第２分割サブ布材６２とは、それぞれ重ねられ、サブ第１裁断線８１を基準に所定の縫い代を取った状態で（いずれの縫い代も内側に向かう）、各々のサブ第１裁断線８１の近傍の縫い付け線８１ａ，８１ｂにおいて縫い付けられている。
同じくそれぞれ２枚の第２分割サブ布材６２と第３分割サブ布材６３とは、それぞれ重ねられ、サブ第２裁断線８２を基準に所定の縫い代を取った状態で（いずれの縫い代も内側に向かう）、各々のサブ第２裁断線８２の近傍の縫い付け線８２ａ，８２ｂにおいて縫い付けられている。
こうして、図３に示すように、２枚のサブ布材６０Ａ，６０Ｂが相互に結合状態で形成されており、前述したように、両サブ布材６０Ａ，６０Ｂは、頂点６５を中心として、わずかに前方に凸状に膨らんでいる。
【００３７】
図２及び図３に示すように、上述のように各々形成された１枚のメイン布材２０と２枚のサブ布材６０Ａ，６０Ｂとが縫い付けられて結合されている。
すなわち、サブ布材６０Ａ，６０Ｂは、その輪郭線（正確には、その近傍）のほぼすべて（サブ左上縁線７３（図４（ｂ）に該当する線、及び、それに対応する右側の線（サブ右上縁線）を除く）において、メイン布材２０に対して縫い付けられて結合されている。
こうして、胸当て部１０が形成されている。
その際、メイン布材２０の頂点３５と２枚のサブ布材６０Ａ，６０Ｂの各頂点７５とは一致しており、胸当て部１０の一対の頂点１５が形成されている。各頂点１５は、着用者の乳首に対応するものである。正確には、それを想定して形成されている。
【００３８】
また、胸当て部１０（メイン布材２０）（図２）の輪郭を形成する各線については、原メイン布材３０（図４（ａ））の輪郭を形成する各線とはほぼ対応するため、その各線と同様に、上縁線１１（上縁中央線１１Ａ，上縁右側線１１Ｂａ・上縁左側線１１Ｂｂ），下縁線１２，右上縁線１３ａ・左上縁線１３ｂ，右縁線１４ａ・左縁線１４ｂということとする。
【００３９】
そして、前述したように、胸当て部１０は、Ｔシャツ本体９０の前身頃９３Ａのうちの胸部対応部の内側に縫い付けられて結合されている。いずれも自然状態で基本的姿勢の状態で結合されている。
その際、胸当て部１０は、上縁中央線１１Ａ，右上縁線１３ａ・左上縁線１３ｂ，右縁線１４ａ・左縁線１４ｂにおいて（正確にはその近傍において）、Ｔシャツ本体９０の前身頃９３Ａのうちの胸部対応部の内側に縫い付けられている。すなわち、上縁右側線１１Ｂａ・上縁左側線１１Ｂｂ，下縁線１２（胸当て部１０の下縁部）においては、Ｔシャツ本体９０の前身頃９３Ａのうちの胸部対応部の内側に縫い付けられてはいない。
このようにして、胸当て部１０は、胸部対応部（その内側）に対して沿った状態とされている。
【００４０】
次に、このＴシャツの作用効果について説明する。
図５に示すように、女性（着用者）が、ブラジャーを着用しない状態で、基本的に素肌のまま、このＴシャツを着用する。
その状態で、着用者の胸部は、Ｔシャツ本体９０の前身頃９３Ａとともに、胸当て部１０によって覆われる。
このため、外部から、着用者の乳房が透けて見えることが防止される。すなわち、胸当て部１０は１枚のメイン布材２０と２枚のサブ布材６０Ａ，６０Ｂとの３重構造であり（図２及び図３に基づいて前述）、Ｔシャツ本体９０の前身頃９３Ａを含めると４重構造となり、外部から乳房が透けて見えることが確実に防止される。
【００４１】
その際、メイン布材２０は、余裕をもって着用者（女性）の乳房を十分覆うことが可能な大きさを有しており（このことは前述）、それによって乳房の全体が確実に覆われる。
一方、２枚のサブ布材６０Ａ，６０Ｂは、メイン布材２０よりも小さく、乳首を含む乳房の大半又は全てを覆う大きさを有しており（このことも前述）、乳房のうちの重要な部分又はその全てが３重構造の胸当て部１０によって覆われることによって、乳房（特にその重要な部分）が外部から透けて見えることが確実に防止される。
【００４２】
それとともに、２枚のサブ布材６０Ａ，６０Ｂがメイン布材２０よりも小さいため、胸当て部１０の周縁部はメイン布材２０のみの１重構造となり、胸当て部１０のすべてが３重構造の場合と比較して、大きな通気性が確保され、その点で、着用者の着心地が悪化することが防止される。
また、２枚のサブ布材６０Ａ，６０Ｂはメイン布材２０よりも外側にあるため、大きさの異なるサブ布材６０Ａ，６０Ｂとメイン布材２０とが重ね合わされることによって生じる段差は、胸当て部１０の外側に生じ、胸当て部１０の内側には生じない。このため、その点でも、着用者の着心地が悪化することが防止される。
【００４３】
一方で、胸当て部１０が前身頃９３Ａのうち胸部対応部（その内側）に対して沿った状態であり、着用者の乳房のうちの乳首及びその近傍が胸当て部１０に当接しても、着用者の各乳房が胸当て部１０に各々密着状態で収容されるわけではない。このため、まずはその点で、ブラジャー着用時と異なり、着用者が不快感を感じることが防止される。
【００４４】
また、胸当て部１０が前身頃９３Ａのみに取り付けられているため、着用者の上半身が一巡されて締め付けられたり、肩が圧迫されたりすることがない。このため、その点でも、ブラジャー着用時と異なり、このＴシャツ（胸当て部１０）によって着用者が不快感を感じることが防止される。
【００４５】
また、Ｔシャツ本体９０（前身頃９３Ａ）及び胸当て部１０が可撓性を有するとともに弾性的に伸縮可能であり、かつ、胸当て部１０は、その自然状態における基本的姿勢において前方に凸状に形成されているため、乳房に対して押しつぶす方向に押圧力が加わることが防止又は低減され、その点でも着用者の着心地が良いものとなる。
また、胸当て部１０は、前方に１つの凸状に形成されているため、着用者の一対の乳房の間には隙間が生じる。このことからも、着用者の各乳房が胸当て部１０に各々密着状態で収容されることが防止され、その点でも、ブラジャー着用時と異なり、着用者が不快感を感じることが防止される。
【００４６】
また、この胸当て部１０（メイン布材２０）の下縁部にはゴム紐１８が取り付けられており、この胸当て部１０（メイン布材２０）の下縁部はゴム紐１８によって引っ張られることによって弾性的に縮められている。
このため、着用者が前方にかがんだ際等においては、胸当て部１０が着用者に対して相対的に上昇しようとするが、その際、この胸当て部１０の下縁部が乳房に当接し、そのように胸当て部１０が相対的に上昇することが防止される。こうして、この胸当て部１０は安定的に着用者の胸部を覆うこととなり、その点でも着用者の着心地が良いものとされる。
【００４７】
なお、上記のものはあくまで本発明の一実施例にすぎず、当業者の知識に基づいて種々の変更を加えた態様で本発明を実施できることはもちろんである。
【００４８】
例えば、上記実施例では、Ｔシャツに本発明が適用されているが、それに限らず、タンクトップ，チュニック，ワンピース，ブラウス等に本発明が適用されてもよい。
その際、ブラウス等のように、前身頃が左右に分割されて一対の分割前身頃が形成されている場合には、それに対応して、胸当て部も左右に分割されて一対の分割胸当て部が形成され、各分割胸当て部が各分割前身頃に対して結合される。
また、サブ布材（６０Ａ，６０Ｂ）は、２重に限らず、１重又は３重以上でもよい。
【符号の説明】
【００４９】
１０  胸当て部
１８  ゴム紐
２０  メイン布材，
６０Ａ，６０Ｂ  サブ布材
９３Ａ  前身頃
【図１】
2014189927.tif 000003
【図２】
2014189927.tif 000004
【図３】
2014189927.tif 000005
【図４】
2014189927.tif 000006
【図５】
2014189927.tif 000007